(57)【要約】【課題】「ワン切り」等の比較的短い時間で切断される望まざるコールの着信報知によるユーザの不快を解消する。【解決手段】「ワン切り」対策設定がなされ（Ｓ１４、Ｙｅｓ）、発信元が所定の電話番号（友人、知人など）ではない場合（Ｓ１６、Ｎｏ）、自動着信応答（着信報知しない）が行われ（Ｓ１８）、遅延時間（例えば、２秒程度）が経過してから（Ｓ２２、Ｙｅｓ）、通信処理（Ｓ３０）（着信報知を含む）が行われる。着信報知が遅延時間だけ遅延するため、比較的短い時間で切断される望まざるコールは着信報知されない。よって、かかるコールの着信報知によりユーザが不快に思うことがない。しかも、着信があったことに応じて自動着信するため、望まざるコールの発信元にも通信料金が課金される。これにより、望まざるコールの発信元がかかるコールの発信を控えることになり、ますますコールの着信報知がなされる可能性が低くなる。【選択図】　図２
2004104657.tif 000002
【特許請求の範囲】
【請求項１】
着信があったことに応じて通信を確立する通信確立手段と、
前記着信があったことを報知する着信報知手段と、
前記通信確立手段が通信を確立した場合に前記着信報知手段の動作開始を所定時間遅延させる着信報知遅延手段と、
を備えた通信端末。
【請求項２】
請求項１に記載の通信端末であって、
所定の通信相手の識別情報を記録する所定識別情報記録手段と、
前記着信の発信元の識別情報と前記所定識別情報記録手段に記録された識別情報とが一致するか否かを判定する相手先識別手段と、
前記着信の発信元の識別情報と前記所定識別情報記録手段に記録された識別情報とが一致する場合には、前記通信確立手段の動作を停止させる動作停止手段と、
を備えた通信端末。
【請求項３】
請求項１に記載の通信端末であって、
前記着信の発信元の識別情報を記録する着信識別情報記録手段と、
前記所定時間内に通信が中断された場合は、前記着信の発信元の識別情報を前記着信識別情報記録手段に残さない着信記録制御手段と、
を備えた通信端末。
【請求項４】
請求項１に記載の通信端末であって、
前記所定時間を設定する遅延時間設定手段を備えた通信端末。
【請求項５】
請求項１に記載の通信端末であって、
前記通信確立手段を作動させるか否かを設定する設定手段を備えた通信端末。
【請求項６】
請求項１に記載の通信端末であって、
通信確立時に送信する応答メッセージを記録する応答メッセージ記録手段を備え、
前記通信確立手段は前記応答メッセージ記録手段から前記応答メッセージを読み出して送信する、
通信端末
【請求項７】
着信があったことに応じて通信を確立する通信確立手段と、
前記着信があったことを報知する着信報知手段と、
前記通信確立手段が通信を確立した場合に前記着信報知手段の動作開始を所定時間遅延させる着信報知遅延手段と、
を備えた携帯通信端末。
【請求項８】
着信があったことに応じて通信を確立する通信確立手段と、前記着信があったことを報知する着信報知手段とを有する通信端末における処理をコンピュータに実行させるためのプログラムであって、
前記通信確立手段が通信を確立した場合に前記着信報知手段の動作開始を所定時間遅延させる着信報知遅延処理をコンピュータに実行させるためのプログラム。
【発明の詳細な説明】
【０００１】
【発明の属する技術分野】
本発明は、携帯電話等の携帯通信端末における自動着信応答に関する。
【０００２】
【従来の技術】
近年、携帯電話等の携帯通信端末において、いわゆる「ワン切り」という迷惑コールが受信されることがある。「ワン切り」とは、不特定多数のユーザの携帯電話にワンコールの電話を掛けて切るものである。すると、携帯電話の着信履歴にワンコールの電話を掛けてきた発信元の電話番号が記録される。ここで、携帯電話のユーザの内の一部は、発信元の電話番号に電話を掛けてみるといった行動をとる。すると、有料サービスの提供の案内が流れ、携帯電話のユーザを有料サービスに誘い込む。
【０００３】
「ワン切り」が受信されると、携帯電話は着信音を鳴らすかあるいはバイブレータを振動させることにより、ユーザに着信を報知する。ユーザにとって「ワン切り」は特に出なくてもいいコールであることが多いので、「ワン切り」の着信報知はユーザにとり迷惑であることが多い。しかも、「ワン切り」の発信は時刻を選ばず、深夜にすら行われることがある。この場合、ユーザは着信音などにより安眠を妨害されることになる。
【０００４】
よって、携帯電話において「ワン切り」に対する対策を講ずることが切望されている。「ワン切り」に対する対策として、携帯電話において自動着信応答機能を利用することが考えられる。自動着信応答機能は、携帯電話への全ての着信に対して自動的に応答メッセージを送信するものである（例えば、特許文献１の段落番号０００２を参照）。
【０００５】
自動着信応答機能を利用すれば、「ワン切り」の着信が報知されないので、ユーザは着信報知に煩わされないですむ。しかし、携帯電話への全ての着信に対して自動的に応答メッセージを送信してしまうので、ユーザが通話を望む相手からのコールにも出ることができない。
【０００６】
そこで、携帯電話のＲＡＭ（Ｒａｎｄｏｍ　Ａｃｃｅｓｓ　Ｍｅｍｏｒｙ）に、電話番号を、自動着信応答を行うか否かを示すフラグと対応させて記録しておくことが考えられる。そして、着信があった場合、相手先の電話番号と一致するＲＡＭに記録された電話番号を検索し、この電話番号に対応するフラグが自動着信応答を行うことを示す場合は自動着信応答を行うようにする（例えば、特許文献１の要約、図４を参照）。
【０００７】
これによれば、携帯電話のＲＡＭに、「ワン切り」の発信元の電話番号を、自動着信応答を行うことを示すフラグと対応させて記録しておけば、「ワン切り」の着信が報知されないので、ユーザは着信報知に煩わされないですむ。しかも、それ以外の電話番号の相手からの着信は報知されるので、ユーザが通話を望む相手からのコールにも出ることができる。
【０００８】
【特許文献１】
特開２００１−４５５６８号公報（段落番号０００２、図４、要約）
【発明が解決しようとする課題】
しかしながら、「ワン切り」の発信元は多数存在するので、「ワン切り」の発信元の電話番号を全てＲＡＭに記録しておくことは困難である。しかも、「ワン切り」の発信元は電話番号を頻繁に変えることがあるため、ＲＡＭに記録した電話番号を更新する必要がある。しかし、更新を頻繁に行うことは困難である。よって、「ワン切り」の着信報知によるユーザの不快を解消することは困難である。
【０００９】
そこで、本発明は、「ワン切り」等の比較的短い時間で切断される望まざるコールの着信報知によるユーザの不快の解消を課題とする。
【００１０】
【課題を解決するための手段】
本発明は通信端末に関する。本発明に係る通信端末は、通信確立手段、着信報知手段、着信報知遅延手段を備える。
【００１１】
通信確立手段は、着信があったことに応じて通信を確立する。着信報知手段は、着信があったことを報知する。着信報知遅延手段は、通信確立手段が通信を確立した場合に着信報知手段の動作開始を所定時間遅延させる。
【００１２】
上記のように構成された発明によれば、着信報知が所定時間遅延するため、比較的短い時間で切断される望まざるコールは着信報知されない。よって、かかるコールの着信報知によりユーザが不快に思うことがない。
【００１３】
しかも、着信があったことに応じて通信を確立するため（いわゆる、自動着信）、望まざるコールの発信元にも通信料金が課金される。これにより、望まざるコールの発信元がかかるコールの発信を控えることになり、ますますコールの着信報知がなされる可能性が低くなる。
【００１４】
【発明の実施の形態】
以下、本発明の実施の形態を図面を参照して説明する。
【００１５】
図１は、本発明の実施の形態にかかる携帯通信端末１の構成を示すブロック図である。携帯通信端末１は、例えば携帯電話である。携帯通信端末１は、他の電話機から電話を受ける。これを着信という。
【００１６】
携帯通信端末１は、通信部１０、設定部１２、所定電話番号記録部（所定識別情報記録手段）１４、着信報知部１５、相手先識別部１６、動作停止部１８、自動応答部（通信確立手段）２０、着信報知遅延部２２、遅延時間設定部２４、タイマ２６、応答メッセージ記録部２８、通信履歴抽出部（着信記録制御手段）３０、通信履歴記録部（着信識別情報記録手段）３２、通信開始指示部３４、受信部３６、送信部３８を備える。
【００１７】
通信部１０は、携帯通信端末１の通信相手の電話機等との通信を行う。ここで、通信部１０は、着信を検知する。
【００１８】
設定部１２は、相手先識別部１６および自動応答部（通信確立手段）２０を作動させるか否かを設定する。また、設定部１２は、通信部１０に着信した通信信号を受ける。相手先識別部１６および自動応答部２０を作動させないように設定する場合は、着信した通信信号を着信報知部１５に送る。相手先識別部１６および自動応答部２０を作動させるように設定する場合（「ワン切り対策設定」という）は、着信した通信信号を相手先識別部１６および自動応答部２０に送る。設定部１２の設定内容は、ユーザが設定できる。
【００１９】
所定電話番号記録部（所定識別情報記録手段）１４は、所定の通信相手の電話番号を記録する。例えば、所定の通信相手とは、「ワン切り」等の迷惑コールの発信元ではなく、携帯通信端末１のユーザが通信を望む相手（友人、知人等）をいう。所定の通信相手の電話番号は、所定の通信相手を識別するための識別情報である。
【００２０】
着信報知部１５は、着信した通信信号を受け、着信を報知する。例えば、着信報知部１５はスピーカを有し、着信した通信信号を受けると着信音を鳴らす。例えば、着信報知部１５はバイブレータを有し、着信した通信信号を受けると振動する。
【００２１】
相手先識別部１６は、設定部１２から着信した通信信号を受け、着信した通信信号に記録されている電話番号（発信元の電話番号）と、所定電話番号記録部１４に記録されている所定の通信相手の電話番号とが一致するか否かを判定する。判定の結果、一致するならば動作停止部１８を作動させ、着信報知部１５に着信した通信信号を送る。一致しないならば、動作停止部１８を作動させないで、着信報知部１５に着信した通信信号を送る。
【００２２】
動作停止部１８は、自動応答部２０の動作を停止させる。動作停止部１８は、着信した通信信号に記録されている電話番号（発信元の電話番号）と、所定電話番号記録部１４に記録されている所定の通信相手の電話番号とが一致する場合に作動する。よって、自動応答部２０は、着信した通信信号に記録されている電話番号（発信元の電話番号）と、所定電話番号記録部１４に記録されている所定の通信相手の電話番号とが一致する場合には作動しない。
【００２３】
自動応答部（通信確立手段）２０は、設定部１２から着信した通信信号を受け、通信部１０を介して着信の発信元との通信を確立する。通信確立の際には携帯通信端末１のユーザの操作が必要無いことから、自動応答部２０による通信の確立を自動応答という。
【００２４】
そして、自動応答が行われることを条件として以下の動作を行う。
【００２５】
まず、自動応答部２０は、着信報知遅延部２２を作動させる。自動応答部２０は、着信報知遅延部２２から着信報知部１５の動作遅延を終了した旨の信号を受ける。この時、自動応答部２０は、通信履歴抽出部（着信記録制御手段）３０に抽出を許可する。
【００２６】
さらに、自動応答部２０は、応答メッセージ記録部２８から応答メッセージを読み出し、着信の発信元に送信する。これにより、着信の発信元には、応答メッセージが流れることになる。
【００２７】
着信報知遅延部２２は、着信報知部１５の着信報知を遅延させる。具体的には、着信報知遅延部２２は、着信報知部１５の着信報知を停止すると同時に、タイマ２６を作動させる。タイマ２６が作動し始めてから、設定された所定時間（以下、「遅延時間」という）を計時すると、着信報知遅延部２２はタイマ２６からその旨を示す信号を受ける。これにより、着信報知遅延部２２は、着信報知部１５の着信報知の停止を解除する。すなわち、着信報知部１５の動作遅延を終了する。そして、着信報知部１５の動作遅延を終了した旨の信号を自動応答部２０に送る。
【００２８】
遅延時間設定部２４は、遅延時間を設定する。遅延時間はユーザが自由に設定可能である。例えば、遅延時間を２秒に設定することが好ましい。なお、遅延時間は、ワンコールに要する時間を超えるようにすることが好ましい。
【００２９】
タイマ２６は、遅延時間設定部２４により設定された遅延時間を計時する。
【００３０】
応答メッセージ記録部２８は、応答メッセージを記録する。応答メッセージは、例えば、「ただ今、呼び出しております」といったような、発信元に待機を要請するようなメッセージである。ただし、ＤＴＭＦトーンのような単なる呼び出し音であってもかまわない。
【００３１】
通信履歴抽出部（着信記録制御手段）３０は、通信の切断時に通信部１０から着信の発信元の電話番号を抽出し、通信履歴記録部３２に出力する。なお、発信元の電話番号の他にも、通信時間等を抽出、出力してもよい。ただし、自動応答部２０から抽出を許可されていない場合は抽出を行わない。すなわち、遅延時間が経過する前に通信が切断された場合は、自動応答部２０から抽出を許可されていないので、抽出を行わないことになる。また、自動応答部２０が作動しない場合は、自動応答部２０の許可、不許可にかかわらず、着信の発信元の電話番号等を抽出、出力する。
【００３２】
なお、通信履歴抽出部３０は、通信の開始時に通信部１０から着信の発信元の電話番号を抽出し、通信履歴記録部３２に記録するようにすることも考えられる。この場合は、記録後に自動応答部２０が抽出を許可しないことがあり、通信履歴抽出部３０は通信履歴記録部３２から抽出不許可となった通信履歴を抹消するようにする。すなわち、通信履歴抽出部３０は、遅延時間が経過する前に通信が切断された場合は、通信履歴記録部３２に記録を残さないようにすればよい。
【００３３】
通信履歴記録部（着信識別情報記録手段）３２は、通信履歴抽出部３０から受けた着信の発信元の電話番号等を記録する。
【００３４】
通信開始指示部３４は、受信部３６および送信部３８による通信の開始を通信部１０に指示する。通信開始指示部３４は、例えば、携帯電話のオフフックボタンを有する。開始される通信は、例えば、携帯通信端末１のユーザの肉声による通話である。
【００３５】
受信部３６は、通信部１０を介して、着信の発信元の音声を流す。受信部３６は、例えば、スピーカを有する。
【００３６】
送信部３８は、通信部１０を介して、携帯通信端末１のユーザの肉声を電気信号に変換したものを送信する。送信部３８は、例えば、マイクを有する。
【００３７】
次に、本発明の実施形態の動作を説明する。図２は、本発明の実施形態の動作を示すフローチャートである。
【００３８】
まず、携帯通信端末１は着信を待つ（Ｓ１０）。そして、着信する（Ｓ１２）。着信は通信部１０により検知され、着信した通信信号は設定部１２に送られる。設定部１２において、「ワン切り対策設定」（相手先識別部１６および自動応答部２０を作動させる）がなされていれば（Ｓ１４、Ｙｅｓ）、着信した通信信号は相手先識別部１６および自動応答部２０に送られる。相手先識別部１６は、着信した通信信号を着信報知部１５に送る。着信報知部１５は着信を報知しようとする。
【００３９】
相手先識別部１６は、着信した通信信号に記録されている電話番号（発信元の電話番号）と、所定電話番号記録部１４に記録されている所定の通信相手の電話番号とが一致するか否かを判定する（Ｓ１６）。一致しないならば（Ｓ１６、Ｎｏ）、携帯通信端末１のユーザが通信を望む相手ではない可能性がある。そこで、自動応答部２０が応答メッセージ記録部２８から応答メッセージを読み出して着信の発信元に送信する（Ｓ１８）。このとき、自動応答部２０は着信報知遅延部２２を作動させるため、着信報知部１５は相手先識別部１６から着信した通信信号を受けているにもかかわらず着信を報知しない。
【００４０】
そして、通信部１０は通信が発信元により切断されたか否かを判断し（Ｓ２０）、切断されたならば（Ｓ２０、Ｙｅｓ）、着信報知遅延部２２から着信報知部１５の動作遅延を終了した旨の信号を受ける前の切断ということになる。よって、通信の切断時には、自動応答部２０は、通信履歴抽出部３０に着信の発信元の電話番号等の抽出を許可しない。これにより、通信履歴記録部３２には、「ワン切り」等の比較的短い時間で切断される望まざるコールの通信履歴が残らない。そして、処理を終了する。
【００４１】
切断されていないならば（Ｓ２０、Ｎｏ）、着信報知遅延部２２が、着信報知部１５の動作を停止してから遅延時間を経過したか否かを判定する（Ｓ２２）。これは、タイマ２６が遅延時間設定部２４により設定された遅延時間を計時しているので、タイマ２６から遅延時間が経過した旨の信号を受けたか否かにより判定できる。遅延時間を経過していないならば（Ｓ２２、Ｎｏ）、自動応答（Ｓ１８）に戻る。「ワン切り」等の比較的短い時間で切断される望まざるコールは、遅延時間を経過する前に、通信が発信元により切断されてしまう。遅延時間を経過しているならば（Ｓ２２、Ｙｅｓ）、通信処理（Ｓ３０）を行う。
【００４２】
通信処理（Ｓ３０）の図３のフローチャートを参照して説明する。
【００４３】
まず、着信報知遅延部２２は着信報知部１５の動作遅延を終了するので、着信報知部１５は着信を報知する（Ｓ３２）。そして、通信開始指示部３４が通信開始を指示するか否かを通信部１０が判定する（Ｓ３４）。通信開始が指示されていなければ（Ｓ３４、Ｎｏ）、通信部１０が通信が切断されたか否かを判定する（Ｓ３５）。切断されていなければ（Ｓ３５、Ｎｏ）、着信報知（Ｓ３２）に戻る。切断されれば（Ｓ３５、Ｙｅｓ）、すでに着信報知部１５の動作遅延を終了しているので自動応答部２０から着信の発信元の電話番号等の抽出を許可されている。よって、通信履歴抽出部３０が着信の発信元の電話番号等を抽出して通信履歴記録部３２に記録する（Ｓ３８）を行い、処理を終了する。また、通信開始が指示されていれば（Ｓ３４、Ｙｅｓ）、受信部３６および送信部３８による通信を行い（Ｓ３８）、通信終了後、通信履歴の記録（Ｓ３８）を行い、処理を終了する。
【００４４】
なお、設定部１２において、「ワン切り対策設定」（相手先識別部１６および自動応答部２０を作動させる）がなされていなければ（Ｓ１４、Ｎｏ）、着信した通信信号は着信報知部１５に送られる。そして、通信処理（Ｓ３０）を行う。特に、相手先識別部１６および自動応答部２０を作動させないので、着信報知部１５は着信を報知する（Ｓ３２）。以後は、先の説明と同様である。ただし、自動応答部２０が作動しないので、自動応答部２０の許可、不許可にかかわらず、通信履歴の記録（Ｓ３８）が行われる。
【００４５】
また、相手先識別部１６は、着信した通信信号に記録されている電話番号（発信元の電話番号）と、所定電話番号記録部１４に記録されている所定の通信相手の電話番号とが一致するならば（Ｓ１６、Ｙｅｓ）、通信処理（Ｓ３０）を行う。すなわち、相手先識別部１６は、動作停止部１８を作動させ、着信報知部１５に着信した通信信号を送る。動作停止部１８は自動応答部２０の動作を停止させる。よって、自動応答および着信報知遅延部２２による着信報知の遅延は行われず、着信報知部１５は着信を報知する（Ｓ３２）。以後は、先の説明と同様である。ただし、自動応答部２０が作動しないので、自動応答部２０の許可、不許可にかかわらず、通信履歴の記録（Ｓ３８）が行われる。
【００４６】
本発明の実施形態によれば、着信報知が着信報知遅延部２２により所定時間（例えば、２秒）遅延するため、比較的短い時間で切断される望まざるコールは着信報知されない。よって、かかるコールの着信報知によりユーザが不快に思うことがない。
【００４７】
しかも、着信があったことに応じて、自動応答部２０が通信を確立するため（いわゆる、自動着信）、望まざるコールの発信元にも通信料金が課金される。これにより、望まざるコールの発信元がかかるコールの発信を控えることになり、ますますコールの着信報知がなされる可能性が低くなる。
【００４８】
さらに、着信した通信信号に記録されている電話番号（発信元の電話番号）と、所定電話番号記録部１４に記録されている所定の通信相手（ユーザが通信を望む相手（友人、知人など））の電話番号とが一致するならば動作停止部１８を作動させて自動応答を停止し、着信報知部１５による着信報知を行い、通信開始指示部３４による通信開始指示に応じて通信を開始する。これにより、ユーザが通信を望む相手とは、普通に電話をすることができる。
【００４９】
しかも、遅延時間を経過する前に通信が着信の発信元により切断された場合は、自動応答部２０は、通信履歴抽出部３０に着信の発信元の電話番号等の抽出を許可しない。これにより、通信履歴記録部３２には、「ワン切り」等の比較的短い時間で切断される望まざるコールの通信履歴が残らない。
【００５０】
通信履歴が残らないので、「ワン切り」を受けた携帯電話のユーザが発信元の電話番号に電話を掛けることもない。よって、ユーザが電話料金を負担することもない。しかも、発信元の提供する有料サービスは法外な料金を徴収するものもあるが、ユーザはこのような有料サービスから防護されることになる。
【００５１】
さらに、遅延時間設定部２４により、着信報知を遅延する時間をユーザが自由に設定できるので便利である。また、設定部１２により、「ワン切り対策設定」を行うか否かをユーザが自由に設定できるので便利である。しかも、応答メッセージを自動応答時に流すので、「ワン切り」等ではなく、正当にユーザと電話をしたい発信元は、電話にユーザが出ないことを故障等と錯誤せずに待機することができる。
【００５２】
また、上記の実施形態は、以下のようにして実現できる。ＣＰＵ、ハードディスク、フラッシュメモリ、メディア（フロッピーディスク、ＣＤ−ＲＯＭ、メモリスティックなど）読み取り装置を備えたコンピュータのメディア読み取り装置に、上記の各部分（例えば、設定部１２、所定電話番号記録部１４、相手先識別部１６、動作停止部１８、着信報知遅延部２２、応答メッセージ記録部２８、通信履歴抽出部３０、通信履歴記録部３２など）を実現するプログラムを記録したメディアを読み取らせて、ハードディスク、フラッシュメモリなどにインストールする。このような方法でも、上記の機能を実現できる。
【図面の簡単な説明】
【図１】本発明の実施の形態にかかる携帯通信端末１の構成を示すブロック図である。
【図２】本発明の実施形態の動作を示すフローチャートである。
【図３】通信処理（Ｓ３０）の動作を示すフローチャートである。
【符号の説明】
１　携帯通信端末
１０　通信部
１２　設定部
１４　所定電話番号記録部（所定識別情報記録手段）
１５　着信報知部
１６　相手先識別部
１８　動作停止部
２０　自動応答部（通信確立手段）
２２　着信報知遅延部
２４　遅延時間設定部
２６　タイマ
２８　応答メッセージ記録部
３０　通信履歴抽出部（着信記録制御手段）
３２　通信履歴記録部（着信識別情報記録手段）
３４　通信開始指示部
３６　受信部
３８　送信部
【図１】
2004104657.tif 000003
【図２】
2004104657.tif 000004
【図３】
2004104657.tif 000005